【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
カテーテルのためのガイドワイヤルーメンにおいて、
管状部と、
前記管状部の全長未満にわたって配置されるスリーブであって、前記スリーブが、前記管状部の少なくとも一部の周りに配置されないようになっている、スリーブと、
を含み、
前記管状部は、第１ポリマーで形成され、
前記スリーブは、第２ポリマーで形成され、
前記第２ポリマーは、ポリアミド、ナイロン、ポリエーテルブロックアミド、および、ポリウレタンのうちの１つ以上を含む、ガイドワイヤルーメン。
【請求項２】
請求項１に記載のガイドワイヤルーメンにおいて、
前記第１ポリマーは、前記ガイドワイヤ上を通り過ぎる際の摩擦が前記第２ポリマーよりも低い、ガイドワイヤルーメン。
【請求項３】
請求項１に記載のガイドワイヤルーメンにおいて、
前記管状部は、単一層の管として押出加工される、ガイドワイヤルーメン。
【請求項４】
請求項１に記載のガイドワイヤルーメンにおいて、
前記第１ポリマーは、ＨＤＰＥである、ガイドワイヤルーメン。
【請求項５】
請求項１に記載のガイドワイヤルーメンにおいて、
前記管状部の遠位端に配置される先端を含み、
前記先端の遠位端は、前記先端の近位端よりも小さい径を有する、ガイドワイヤルーメン。
【請求項６】
請求項５に記載のガイドワイヤルーメンにおいて、
前記先端は、前記第１ポリマーで形成される、ガイドワイヤルーメン。
【請求項７】
請求項６に記載のガイドワイヤルーメンにおいて、
前記先端は、前記管状部と一体である、ガイドワイヤルーメン。
【請求項８】
請求項５に記載のガイドワイヤルーメンにおいて、
前記スリーブは、前記先端の少なくとも一部を越えて延びる、ガイドワイヤルーメン。
【請求項９】
請求項１に記載のガイドワイヤルーメンにおいて、
前記管状部の一部の周りに配置される金属マーカーバンド、
を含み、
前記スリーブは、前記マーカーバンドの上に配置され、前記管状部の遠位端の近接位置から、前記マーカーバンドの近位で前記マーカーバンドに近接するポイントまで延びる、ガイドワイヤルーメン。
【請求項１０】
請求項１に記載のガイドワイヤルーメンにおいて、
前記管状部の第１部および第２部の各々の周りに配置される第１および第２金属マーカーバンド、
を含み、
前記第１マーカーバンドは、前記管状部の遠位端に対して前記第２マーカーバンドよりも近くに配置され、
前記スリーブは、前記第１および第２マーカーバンドの上に配置され、前記管状部の遠位端の近接位置から、前記第２マーカーバンドの近位で前記第２マーカーバンドに近接するポイントまで延びる、ガイドワイヤルーメン。
【請求項１１】
請求項１に記載のガイドワイヤルーメンにおいて、
前記スリーブは、前記管状部の少なくとも近位端の周りに配置される、ガイドワイヤルーメン。
【請求項１２】
請求項１１に記載のガイドワイヤルーメンにおいて、
前記管状部の前記近位端の周りに配置される前記スリーブは、長さが１０ｍｍ以下である、ガイドワイヤルーメン。
【請求項１３】
請求項１に記載のガイドワイヤルーメンにおいて、
前記スリーブは、前記管状部の少なくとも遠位端の周りに配置される、ガイドワイヤルーメン。
【請求項１４】
請求項１３に記載のガイドワイヤルーメンにおいて、
前記管状部の前記遠位端の周りに配置される前記スリーブは、長さが１０ｍｍ以下である、ガイドワイヤルーメン。
【請求項１５】
請求項１に記載のガイドワイヤルーメンにおいて、
前記スリーブは、前記管状部の少なくとも遠位端および近位端の周りに配置される、ガイドワイヤルーメン。
【請求項１６】
請求項１５に記載のガイドワイヤルーメンにおいて、
前記管状部の前記近位端の前記スリーブと前記管状部の前記遠位端の前記スリーブとの間の前記管状部の中間部の周りには、スリーブが設けられない、ガイドワイヤルーメン。
【請求項１７】
請求項１６に記載のガイドワイヤルーメンにおいて、
前記管状部の前記遠位端の周りに配置される前記スリーブ、および、前記管状部の前記近位端の周りに配置される前記スリーブは各々、長さが１０ｍｍ以下である、ガイドワイヤルーメン。
【請求項１８】
請求項１に記載のガイドワイヤルーメンにおいて、
前記第２ポリマーは、接着剤無しでナイロンバルーンに接合されるように構成される、ガイドワイヤルーメン。
【請求項１９】
カテーテルのためのガイドワイヤルーメンにおいて、
第１材料で形成される管状部と、
前記管状部の一部の周りに配置される第２材料で形成されるスリーブであって、前記スリーブが、前記管状部の少なくとも一部の周りに配置されないようになっている、スリーブと、
前記管状部の部分の周りに、その部分と直接接触して配置される金属マーカーバンドと、
を含み、
前記スリーブは、前記マーカーバンドの上に直接接触するように配置されて、前記管状部の遠位端の近接位置から前記マーカーバンドの近位で前記マーカーバンドに近接するポイントまで延びる、ガイドワイヤルーメン。
【請求項２０】
請求項１９に記載のカテーテルのためのガイドワイヤルーメンにおいて、
前記マーカーバンドおよび前記スリーブの間の単位面積あたりの接合強度は、前記管状部および前記スリーブの間の接合強度よりも高い、ガイドワイヤルーメン。
【請求項２１】
請求項２０に記載のカテーテルのためのガイドワイヤルーメンにおいて、
前記マーカーバンドおよび前記管状部の間の単位面積あたりの接合強度は、前記管状部および前記スリーブの間の接合強度よりも高い、ガイドワイヤルーメン。
【請求項２２】
請求項１９に記載のカテーテルのためのガイドワイヤルーメンにおいて、
前記マーカーバンドおよび前記管状部の間の単位面積あたりの接合強度は、前記管状部および前記スリーブの間の接合強度よりも高い、ガイドワイヤルーメン。
【請求項２３】
請求項１９に記載のカテーテルのためのガイドワイヤルーメンにおいて、
第１マーカーバンドと、
第２マーカーバンドと、
を含み、
前記第１マーカーバンドは、前記管状部の遠位端に対して、前記第２マーカーバンドよりも近くに配置される、ガイドワイヤルーメン。
【請求項２４】
請求項２３に記載のカテーテルのためのガイドワイヤルーメンにおいて、
前記スリーブは、前記第１マーカーバンドの上に配置される、ガイドワイヤルーメン。
【請求項２５】
請求項２４に記載のカテーテルのためのガイドワイヤルーメンにおいて、
前記スリーブは、前記第２マーカーバンドの上に配置される、ガイドワイヤルーメン。
【請求項２６】
請求項１９に記載のカテーテルのためのガイドワイヤルーメンにおいて、
前記管状部は、前記マーカーバンドの近位のポイントよりも前記マーカーバンドに近接する位置において小さい直径を有する、ガイドワイヤルーメン。
【請求項２７】
請求項１９に記載のカテーテルのためのガイドワイヤルーメンにおいて、
前記ガイドワイヤルーメンの直径は、前記スリーブの全長にわたって実質上均一である、ガイドワイヤルーメン。
【請求項２８】
カテーテルにおいて、
管状部、ならびに前記管状部の全長未満にわたって配置される近位および遠位スリーブを含む、ガイドワイヤルーメンであって、前記スリーブが、前記管状部の少なくとも一部の周りに配置されないようになっており、前記管状部が第１材料で形成され、前記スリーブが第２材料で形成され、前記ガイドワイヤルーメンは前記遠位スリーブおよび前記管状部の間に配置されかつ前記遠位スリーブおよび前記管状部に直接接触するように配置される金属マーカーバンドを含む、ガイドワイヤルーメンと、
前記遠位スリーブに接合されるバルーンと、
前記近位スリーブに接合されるカテーテルシャフトと、
を含む、カテーテル。
【請求項２９】
請求項２８に記載のカテーテルにおいて、
前記バルーンは、接着剤無しで前記遠位スリーブに接合される、カテーテル。
【請求項３０】
請求項２８に記載のカテーテルにおいて、
前記カテーテルシャフトは、接着剤無しで前記近位スリーブに接合される、カテーテル。
【請求項３１】
請求項２８に記載のカテーテルにおいて、
前記マーカーバンドおよび前記スリーブの間の単位面積あたりの接合強度は、前記管状部および前記スリーブの間の接合強度よりも高い、カテーテル。
【請求項３２】
請求項２８に記載のカテーテルにおいて、
前記マーカーバンドおよび前記管状部の間の単位面積あたりの接合強度は、前記管状部および前記スリーブの間の接合強度よりも高い、カテーテル。
【請求項３３】
請求項２８に記載のカテーテルにおいて、
第１マーカーバンドと、
第２マーカーバンドと、
を含み、
前記第１マーカーバンドは、前記管状部の遠位端に対して、前記第２マーカーバンドよりも近くに配置される、カテーテル。
【請求項３４】
請求項３３に記載のカテーテルにおいて、
前記スリーブは、前記第１マーカーバンドの上に配置される、カテーテル。
【請求項３５】
請求項３４に記載のカテーテルにおいて、
前記スリーブは、前記第２マーカーバンドの上に配置される、カテーテル。
【請求項３６】
請求項２８に記載のカテーテルにおいて、
前記ガイドワイヤルーメンは、前記カテーテルシャフトの壁の開口を貫通し、
前記スリーブは、前記開口に近接する位置で前記カテーテルシャフトに接合される、カテーテル。
【請求項３７】
請求項１９に記載のカテーテルのためのガイドワイヤルーメンにおいて、
前記スリーブは、前記マーカーバンドに近接する位置で終わる、ガイドワイヤルーメン。